(57)【要約】【課題】本発明は、外観を良好に維持しつつスタンド単体での持ち運びを容易に行なうことができ、しかも、運搬用のハンドルを転倒防止用フックとして活用できるスタンドを得ることにある。【解決手段】スタンド3は、ディスプレイ本体2を支持して据付面6aの上に置かれるベース7を備えている。ベース7は運搬用のハンドル21を装備している。ハンドル21は、ベース7内に格納される第１の位置と、ベース7の外に突出する第２の位置との間で移動可能であり、このハンドル7に転倒防止具31, 32が取り外し可能に引っ掛かる係止部30a,30bが設けられている。係止部30a,30bは、ハンドル21が第２の位置に移動した時にベース7の外に露出する。【選択図】      図２
2007316501.tif 000002
【特許請求の範囲】
【請求項１】
機器を支持して据付面の上に置かれるベースと、
上記ベースに設けられ、上記ベース内に格納される第１の位置と、上記ベースの外に突出する第２の位置との間で移動可能な運搬用のハンドルと、
上記ハンドルに設けられ、転倒防止具が取り外し可能に引っ掛かる係止部と、を具備し、
上記係止部は、上記ハンドルが第２の位置に移動した時に上記ベースの外に露出することを特徴とするスタンド。
【請求項２】
請求項１の記載において、上記ハンドルは、上記ベースに支持される一対のアーム部と、これらアーム部の間に跨るグリップ部とを有し、上記係止部は、上記グリップ部に形成されていることを特徴とするスタンド。
【請求項３】
請求項１の記載において、上記転倒防止具は、上記ハンドルを上記据付面に固定するねじであり、上記ハンドルの係止部は、上記ねじを通す通孔であることを特徴とするスタンド。
【請求項４】
請求項１の記載において、上記転倒防止具は、上記ハンドルと上記据付面に対し起立する壁との間に跨るワイヤであり、上記ハンドルの係止部は、上記ワイヤを通す通孔であることを特徴とするスタンド。
【請求項５】
請求項１の記載において、上記ベースは、上記据付面と向かい合う底板を有し、この底板に上記第１の位置に移動されたハンドルが入り込む凹部が形成されていることを特徴とするスタンド。
【請求項６】
請求項１の記載において、上記ハンドルを上記第２の位置に移動させた状態で上記ベースを上記据付面の上に置いた時に、上記ハンドルが上記据付面に接することを特徴とするスタンド。
【請求項７】
ディスプレイ本体と、
上記ディスプレイ本体を据付面の上に支持するスタンドと、を具備するディスプレイ装置であって、
上記スタンドは、運搬用のハンドルを有し、このハンドルは、上記スタンド内に格納される第１の位置と、上記スタンドの外に突出する第２の位置との間で移動可能であるとともに、転倒防止具が取り外し可能に引っ掛かる係止部を有し、この係止部は、上記ハンドルを第２の位置に移動させた時に上記スタンドの外に露出することを特徴とするディスプレイ装置。
【請求項８】
請求項７の記載において、上記転倒防止具は、上記ハンドルを上記据付面に固定するねじであり、上記ハンドルの係止部は、上記ねじを通す通孔であることを特徴とするディスプレイ装置。
【請求項９】
請求項１の記載において、上記転倒防止具は、上記ハンドルと上記ディスプレイ本体に沿って起立する壁との間に跨るワイヤであり、上記ハンドルの係止部は、上記ワイヤを通す通孔であることを特徴とするディスプレイ装置。
【発明の詳細な説明】
【技術分野】
【０００１】
本発明は、例えば薄型テレビを据付面の上に支持するためのスタンドに係り、特に転倒防止機能を有する運搬用のハンドルの構造に関する。さらに本発明は、転倒防止用フックとして利用できる運搬用ハンドル付きのスタンドを備えるディスプレイ装置に関する。
【背景技術】
【０００２】
例えば薄型テレビは、液晶ディスプレイあるいはプラズマディスプレイのようなディスプレイ装置を据付面の上に支持するスタンドを装備している。スタンドは、据付面の上に置かれる偏平なベースと、このベースの上面から上向きに突出する支柱とを有し、この支柱の上端に上記ディスプレイ装置が取り外し可能に支持されている（例えば、特許文献１参照）。
【０００３】
ところで、最近の薄型テレビは、大画面化に伴ってディスプレイ装置の大型化が進んでいる。これに伴い、ディスプレイ装置を支えるスタンドにしても、ディスプレイ装置の大型化に対応するように寸法・重量が増大する傾向にあり、例えば４２インチクラスのディスプレイ装置用のスタンドとなると、約１０kg程度の重量を有している。
【０００４】
このため、スタンドを製造するライン上での作業性あるいはユーザがスタンドをディスプレイ装置から取り外して持ち運ぶ時のことを考慮すると、たとえスタンドといえども、手で安定して掴めるようにすることが望ましいものとなる。
【特許文献１】特開２００１−３４１７９号公報
【発明の開示】
【発明が解決しようとする課題】
【０００５】
ところが、従来の薄型テレビ用のスタンドは、主にデザインを重視した設計がなされることが多く、スタンドの外観に悪影響を及ぼす虞がある運搬用のハンドル等は装備されていないのが実情である。
【０００６】
したがって、従来の薄型テレビでは、スタンドの運搬性についての配慮を欠いており、それ故、スタンドを単独で持ち運ぶ必要が生じた時に不便を来たすといった問題がある。
【０００７】
本発明の目的は、外観を良好に維持しつつ容易に持ち運びが可能となり、しかも、運搬用のハンドルを転倒防止用フックとして活用できるスタンドを得ることにある。
【０００８】
本発明の他の目的は、スタンド運搬用のハンドルを利用してディスプレイ本体の転倒を防止することができ、転倒防止用の専用の構成要素を省略できるディスプレイ装置を得ることにある。
【課題を解決するための手段】
【０００９】
上記目的を達成するため、本発明の一つの形態に係るスタンドは、  
機器を支持して据付面の上に置かれるベースと、  
上記ベースに設けられ、上記ベース内に格納される第１の位置と、上記ベースの外に突出する第２の位置との間で移動可能な運搬用のハンドルと、  
上記ハンドルに設けられ、転倒防止具が取り外し可能に引っ掛かる係止部と、を備えており、  
上記係止部は、上記ハンドルが第２の位置に移動した時に上記ベースの外に露出することを特徴としている。
【００１０】
上記目的を達成するため、本発明の一つの形態に係るディスプレイ装置は、  
ディスプレイ本体と、  
上記ディスプレイ本体を据付面の上に支持するスタンドと、を備えており、  
上記スタンドは、運搬用のハンドルを有し、このハンドルは、上記スタンド内に格納される第１の位置と、上記スタンドの外に突出する第２の位置との間で移動可能であるとともに、転倒防止具が取り外し可能に引っ掛かる係止部を有し、この係止部は、上記ハンドルを第２の位置に移動させた時に上記スタンドの外に露出することを特徴としている。
【発明の効果】
【００１１】
本発明によれば、ハンドルが第１の位置にある限り、このハンドルがスタンドのデザインに悪影響を及ぼすことはなく、スタンドの外観を良好に維持できる。ハンドルを第１の位置から第２の位置に移動させると、ハンドルがベースの外に突出するので、このハンドルを手で掴むことができる。そのため、スタンドを安定した姿勢で容易に持ち運ぶことができる。
【００１２】
しかも、ハンドルを第２の位置に移動させて、その係止部に転倒防止具を引っ掛けることで、ハンドルをそのまま転倒防止用フックとして活用できる。この結果、ディスプレイ本体のような機器の転倒を防止する専用の構成要素を省略することができ、その分、スタンドの構成を簡略化してディスプレイ装置のコストを低減できる。
【発明を実施するための最良の形態】
【００１３】
以下本発明の実施の形態を、薄型の液晶テレビに適用した図面に基づいて説明する。
【００１４】
図１は、ディスプレイ装置の一例である薄型の液晶テレビ１を開示している。液晶テレビ１は、機器としてのディスプレイ本体２とスタンド３とを備えている。
【００１５】
ディスプレイ本体２は、偏平な筐体４と、この筐体４に収容された液晶表示パネル５とを含んでいる。液晶表示パネル５は、表示画面５ａを有し、この表示画面５ａは、筐体４の前面に露出している。
【００１６】
スタンド３は、例えばテレビ台６の据付面６ａの上にディスプレイ本体２を支持するためのものである。スタンド３は、支持すべきディスプレイ本体２の大きさに応じて寸法・重量が異なっており、例えば４２インチクラスの大型のディスプレイ本体２を支えるスタンド３となると、約１０Kg程度の重量を有している。
【００１７】
スタンド３は、据付面６ａの上に置かれる偏平なベース７を備えている。図２ないし図４に示すように、ベース７は、据付面６ａと向かい合う金属製の底板８と、合成樹脂製のトップカバー９とを有している。
【００１８】
底板８の外周部に、据付面６ａに接する複数のゴム製の座部１０が取り付けられている。さらに、底板８の後半部に上向きに凹む凹部１１が形成されている。凹部１１は、底面１２、左右の側面１３ａ，１３ｂおよび前面１４を有するとともに、底板８の後方に向けて開口している。側面１３ａ，１３ｂは、夫々ボス部１５ａ，１５ｂを有している。ボス部１５ａ，１５ｂは、凹部１１内に張り出すとともに、スタンド３の幅方向に互いに向かい合っている。
【００１９】
トップカバー９は、底板８にねじ止めされて、この底板８を上方から覆っている。トップカバー９は、円弧状に湾曲する上壁１６と、底板８を取り囲む周壁１７とを有している。
【００２０】
上壁１６の中央部に上向きに突出する支柱１８が形成されている。支柱１８は、ディスプレイ本体２を支えている。周壁１７は、トップカバー９の周方向に連続しており、この周壁１７のうちトップカバー９の後端に位置する部分に一対の切り欠き１９ａ，１９ｂが形成されている。切り欠き１９ａ，１９ｂは、トップカバー９の幅方向に互いに離間するとともに、上記凹部１１の後端に開口している。
【００２１】
図２ないし図５に示すように、スタンド３は、ハンドル２１を装備している。ハンドル２１は、主にスタンド３を単体で運搬する際に手で握るためのものであり、例えば一本の金属製の丸パイプを折り曲げることで構成されている。
【００２２】
具体的に述べると、ハンドル２１は、一対のアーム部２２ａ，２２ｂとグリップ部２３とを有している。アーム部２２ａ，２２ｂは、スタンド３の幅方向に間隔を存して互いに平行に配置されている。グリップ部２３は、アーム部２２ａ，２２ｂの一端の間に跨っている。
【００２３】
各アーム部２２ａ，２２ｂは、偏平に押し潰された連結部２４を有している。連結部２４は、グリップ部２３の反対側であるアーム部２２ａ，２２ｂの他端に位置している。アーム部２２ａ，２２ｂの連結部２４は、夫々ヒンジ軸２５を介して凹部１１のボス部１５ａ，１５ｂに回動可能に支持されている。ヒンジ軸２５は、ベース７の幅方向に沿って水平に配置されているとともに、連結部２４およびボス部１５ａ，１５ｂの先端を貫通している。ボス部１５ａ，１５ｂの先端面と連結部２４との間には、アーム部２２ａ，２２ｂの自由な回動を制限する複数のワッシャ２６が介在されている。このため、ハンドル２１は、ヒンジ軸２５を支点として第１の位置と第２の位置との間で回動可能となっている。
【００２４】
図３は、ハンドル２１が第１の位置に回動された状態を開示している。第１の位置では、ハンドル２１は、底板８の凹部１１に入り込むことで、スタンド３のベース７内に格納されている。
【００２５】
図２および図４は、ハンドル２１が第２の位置に回動された状態を開示している。第２の位置では、アーム部２２ａ，２２ｂがヒンジ軸２５を支点に略１８０°反転してトップカバー９の切り欠き１９ａ，１９ｂからベース７の後方に向けて突出しており、これによりグリップ部２３がベース７の背後に位置している。
【００２６】
この結果、ハンドル２１を第１の位置から第２の位置に回動させることで、ハンドル２１のグリップ部２３をベース７の外に露出させて手で掴むことができる。それとともに、ハンドル２１を第２の位置に回動させた状態でスタンド３をテレビ台６の据付面６ａの上に置いた場合、図７に示すように、ハンドル２１がベース７の底板８に連続して据付面６ａに接するようになっている。よって、見かけ上、スタンド３のベース７がディスプレイ本体２の背後に延長された形態となり、スタンド３の安定性が向上する。
【００２７】
図３、図４および図６に示すように、本実施の形態のスタンド３によると、凹部１１の底面１２にラッチ２８が取り付けられている。ラッチ２８は、ハンドル２１を第１の位置に回動させた時に、ハンドル２１のグリップ部２３に取り外し可能に引っ掛かる。これにより、ハンドル２１が第１の位置に保持されるようになっている。
【００２８】
図２ないし図４に示すように、ハンドル２１は、係止部としての一対の通孔３０ａ，３０ｂを有している。通孔３０ａ，３０ｂは、ハンドル２１のグリップ部２３に形成されている。通孔３０ａ，３０ｂは、グリップ部２３を径方向に貫通するとともに、グリップ部２３の軸方向に互いに離れている。さらに、通孔３０ａ，３０ｂは、ハンドル２１を第１の位置から第２の位置に回動させた時に、グリップ部２３と一緒にベース７の外に露出するようになっている。
【００２９】
通孔３０ａ，３０ｂは、固定ねじ３１又は強靭なワイヤ３２を通すためのものである。固定ねじ３１およびワイヤ３２は、夫々液晶テレビ１の転倒を防止する転倒防止具の一例であって、いずれか一方を選択して使用することができる。
【００３０】
図７ないし図９に示すように、固定ねじ３１を用いて液晶テレビ１の転倒を防止する場合、固定ねじ３１は、第２の位置に回動されたハンドル２１の通孔３０ａ，３０ｂに上方から挿通される。固定ねじ３１は、テレビ台６の据付面６ａの後端部に開口する一対のねじ孔３３を貫通するとともに、その貫通端がナット３４にねじ込まれている。このねじ込みにより、ハンドル２１が固定ねじ３１を介してテレビ台６に固定され、据付面６ａに対する液晶テレビ１の転倒が防止される。
【００３１】
図１０ないし図１２に示すように、ワイヤ３２は、例えば液晶テレビ１が据付面６ａに対して起立する壁３５に沿うように設置されている場合に、液晶テレビ１のスタンド３を壁３５に繋ぎ止めるためのものである。ワイヤ３２を用いて液晶テレビ１の転倒を防止する場合、ハンドル２１は、通孔３０ａ，３０ｂを有するグリップ部２３を据付面６ａの背後に突出させることが望ましい。ワイヤ３２は、壁３５に固定したフック３６と通孔３０ａ，３０ｂとの間に跨るように平面視略三角形状に架け渡す。これにより、スタンド３がワイヤ３２を介して壁３５に繋ぎ止められ、据付面６ａに対する液晶テレビ１の転倒が防止される。
【００３２】
このような本発明の実施の形態によれば、スタンド３に設けられた運搬用のハンドル２１は、ベース７の内部に格納される第１の位置と、ベース７の後端から後方に突出する第２の位置との間で回動可能となっている。このため、ハンドル２１が第１の位置にある限り、このハンドル２１がスタンド３のデザインに悪影響を及ぼすことはなく、スタンド３の外観を良好に維持することができる。
【００３３】
ハンドル２１を第１の位置から第２の位置に回動させると、ハンドル２１のグリップ部２３がスタンド３のベース７の背後に突出する。そのため、グリップ部２３を手で握ることができ、例えばスタンド３の製造過程あるいはスタンド３をディスプレイ本体２から取り外した状態においても、スタンド３を安定した姿勢で容易に持ち運ぶことができる。よって、特にスタンド３を単体のままで持ち運ぶ際の取り扱いが簡便となる。
【００３４】
さらに、ハンドル２１は、第２の位置に回動させた時にベース７の外に露出する通孔３０ａ，３０ｂを有している。そのため、通孔３０ａ，３０ｂに転倒防止用の固定ねじ３１又はワイヤ３２を引っ掛けることで、運搬用のハンドル２１を転倒防止用フックとして活用することができる。
【００３５】
したがって、スタンド３から液晶テレビ１の転倒を防止する専用の構成要素を省略して、スタンド３の構成を簡素化することができる。よって、スタンド３ひいては液晶テレビ１のコストの低減に寄与するといった利点がある。
【００３６】
なお、本発明は上記実施の形態に特定されるものではなく、発明の主旨を逸脱しない範囲内で種々変更して実施可能である。
【００３７】
例えば上記実施の形態では、ハンドルを第１の位置と第２の位置との間で回動させるようにしたが、本発明はこれに限らず、例えばハンドルを第１の位置と第２の位置との間で直線的にスライド可能にベースに組み込むようにしてもよい。加えて、ハンドルは一つに限らず、複数のハンドルをベースに設けてもよい。
【００３８】
さらに、ハンドルの係止部は通孔に限らず、例えばハンドルのアーム部又はグリップ部に、転倒防止具を通したり巻き付ける孔を有する舌片を設け、この舌片を係止部としてもよい。
【００３９】
本発明に係るスタンドは、テレビ台のような卓上に設置するものに限らず、例えば室内のフロアの上に設置する、いわゆるフロアスタンドでもよい。それとともに、スタンドによって支えられる機器は、表示画面を有するディスプレイ本体に特定されるものではなく、例えば扇風機あるいは遠赤外線ヒータであっても同様に実施可能である。
【図面の簡単な説明】
【００４０】
【図１】本発明の実施の形態に係る液晶テレビの斜視図。
【図２】本発明の実施の形態において、ハンドルを第２の位置に移動させた状態を示すスタンドの斜視図。
【図３】本発明の実施の形態において、ハンドルを第１の位置に移動させた状態を示すスタンドの底面図。
【図４】本発明の実施の形態において、ハンドルを第２の位置に移動させた状態を示すスタンドの底面図。
【図５】本発明の実施の形態において、ハンドルとスタンドとの連結部分を示す断面図。
【図６】図３のF6-F6線に沿う断面図。
【図７】本発明の実施の形態において、第２の位置に移動させたハンドルを固定ねじを介してテレビ台に固定した状態を示す液晶テレビの側面図。
【図８】本発明の実施の形態において、第２の位置に移動させたハンドルをテレビ台の上に固定した状態を示す液晶テレビの平面図。
【図９】図８のF9-F9線に沿う断面図。
【図１０】本発明の実施の形態において、第２の位置に移動させたハンドルとテレビ台に隣接する壁との間にワイヤを架け渡した状態を示す液晶テレビの側面図。
【図１１】本発明の実施の形態において、第２の位置に移動させたハンドルとテレビ台に隣接する壁との間にワイヤを架け渡した状態を示す液晶テレビの平面図。
【図１２】本発明の実施の形態において、第２の位置に移動させたハンドルにワイヤを引っ掛けた状態を示す断面図。
【符号の説明】
【００４１】
２…機器（ディスプレイ本体）、３…スタンド、６ａ…据付面、７…ベース、２１…ハンドル、３０ａ，３０ｂ…係止部（通孔）、３１，３２…転倒防止具（固定ねじ、ワイヤ）。
【図１】
2007316501.tif 000003
【図２】
2007316501.tif 000004
【図３】
2007316501.tif 000005
【図４】
2007316501.tif 000006
【図５】
2007316501.tif 000007
【図６】
2007316501.tif 000008
【図７】
2007316501.tif 000009
【図８】
2007316501.tif 000010
【図９】
2007316501.tif 000011
【図１０】
2007316501.tif 000012
【図１１】
2007316501.tif 000013
【図１２】
2007316501.tif 000014